(57)【要約】【課題】  回線の使用状態が目視で容易にわかる伝送装置のチャネル盤を提供する。【解決手段】  チャネル盤１に、回線に伝送される伝送信号を検出する電圧リレー２と、電圧リレー２による検出結果を表示する状態表示ＬＥＤ３とを備える。４ＷＲ回路５に直流のチャネル信号が伝送されて電圧リレー２が作動することで、スイッチ６がオンして状態表示ＬＥＤ３が点灯し、回線が使用中であることを表示する。【選択図】  図３
2009212581.tif 000002
【特許請求の範囲】
【請求項１】
伝送装置に複数実装され、回線を収容する伝送装置のチャネル盤において、
前記回線に伝送される伝送信号を検出する検出手段と、
前記検出手段による検出結果を表示する表示手段と、
を備えたことを特徴とする伝送装置のチャネル盤。
【発明の詳細な説明】
【技術分野】
【０００１】
この発明は、伝送装置（回線終端装置）に実装されるチャネル盤（チャネル基板）に関する。
【背景技術】
【０００２】
光通信などにおいては、各局に伝送装置が設置され、この伝送装置には多数のチャネル盤が実装（収容）されている（例えば、特許文献１参照。）。さらに、チャネル盤に２〜３の回線が収容可能なものが、主流となっている。このようなチャネル盤に回線を収容するなどのために、回線のレベル調整が必要な場合があり、そのような場合にはチャネル盤を伝送装置から引き抜かなければならない。そして、チャネル盤に複数の回線が収容されている場合には、レベル調整の該当回線のみならず、同一チャネル盤に収容されている他の回線も通信断しなければならない。
【特許文献１】特開平０６−０３７８９０号公報
【発明の開示】
【発明が解決しようとする課題】
【０００３】
ところで、伝送装置には同じチャネル盤が、密集するようにして多数実装されている。このため、対象のチャネル盤を正しく引き抜くなどのためには、各チャネル盤に識別標識などを付して管理しなければならない。しかし、このような管理を行っても、各チャネル盤の回線の使用状態が外観からすぐにはわからないため、対象外のチャネル盤を誤って引き抜き、対象外の（使用中の）回線を誤切断させてしまうおそれがある。このような誤切断を回避するために回線の使用状態を確認するには、各回線に割り当てられたチャネル盤上のチャネルコネクタに、測定器を装着して回線レベル（伝送信号）の有無、つまり回線の使用状況を測定しなければならず、時間と労力とを要していた。
【０００４】
そこでこの発明は、回線の使用状態が容易にわかる伝送装置のチャネル盤を提供することを目的とする。
【課題を解決するための手段】
【０００５】
上記目的を達成するために請求項１に記載の発明は、伝送装置に複数実装され、回線を収容する伝送装置のチャネル盤において、前記回線に伝送される伝送信号を検出する検出手段と、前記検出手段による検出結果を表示する表示手段と、を備えたことを特徴とする。
【０００６】
この発明によれば、チャネル盤に収容されている回線に伝送信号が伝送されると、つまり回線が使用中（通信中）であると、検出手段によってその伝送信号が検出され、その検出結果が、つまり回線使用中であることが表示手段によって表示される。
【発明の効果】
【０００７】
請求項１に記載の発明によれば、伝送信号の検出結果に基づいて、回線の使用状態が表示手段によって表示されるため、回線の使用状態が目視で容易にわかる。この結果、対象外のチャネル盤を誤って引き抜いて対象外の回線を誤切断させてしまうことを確実かつ容易に回避できる。
【発明を実施するための最良の形態】
【０００８】
以下、この発明を図示の実施の形態に基づいて説明する。
【０００９】
図１は、この発明の実施の形態に係るチャネル盤（伝送装置のチャネル盤）１が伝送装置本体に実装されている状態を示す正面図である。このチャネル盤１は、３回線収容可能で、通常のチャネル盤（４Ｗインターフェイス盤）と同等の基本的構成となっている。すなわち、図２に示すように、各回線（チャネル）に対して、符号・復号化器、送出レベル選択回路、レベル変換回路などを備え、所定の周波数領域の音声信号をデジタル信号に変換し、デジタル信号を所定の周波数領域の音声信号に変換するものである。このようなチャネル盤１が、多数枚隣接し、かつ密集するようにして伝送装置本体に実装されている。
【００１０】
また、チャネル盤１には、図３に示すように、各回線に対して電圧リレー（検出手段）２と状態表示ＬＥＤ（表示手段）３とが配設されている。すなわち、この実施の形態では、各回線の４ＷＲ回路５に電圧リレー２が接続され、４ＷＲ回路５に直流のチャネル信号（音声信号、伝送信号）が伝送され（流れ）、それによる電圧によって電圧リレー２が作動することで、チャネル信号を検出する。また、状態表示ＬＥＤ３は、チャネル盤１の前面（伝送装置本体に実装された状態での装置正面）に配設され、電圧リレー２によって作動されるスイッチ６を介して電源７に接続されている。そして、電圧リレー２が作動してスイッチ６がオンすることで、状態表示ＬＥＤ３が点灯し、電圧リレー２が作動停止してスイッチ６がオフすることで、状態表示ＬＥＤ３が消灯するようになっている。
【００１１】
このように、チャネル信号が伝送されて回線が使用状態になると、状態表示ＬＥＤ３が点灯して回線が使用中であることを表示し、チャネル信号が伝送されず回線が非使用状態になると、状態表示ＬＥＤ３が消灯して回線が非使用中であることを表示するものである。ここで、図中符号４は、各回線の４ＷＲ回路５に接続されたチャネルコネクタ（ジャック）で、レベルメータなどの測定器や試験器を装着して、音声の入出力レベルの測定などを行えるようになっている。つまり、チャネルコネクタ４に接続されている４ＷＲ回路５上に、電圧リレー２が接続されている。
【００１２】
以上のように、このチャネル盤１によれば、回線が使用中の場合には状態表示ＬＥＤ３が点灯し、回線が非使用中の場合には状態表示ＬＥＤ３が消灯するため、回線の状態が目視で容易にわかる。この結果、引き抜きの対象ではないチャネル盤１を誤って引き抜いて対象外の回線を誤切断させてしまうことを確実かつ容易に回避できる。さらに、このような効果から、次のようなことが可能となる。
【００１３】
例えば、互いに通信可能に接続されている伝送装置間において、一方の伝送装置の対象回線の４ＷＳ回路から試験信号を送信して、他方の伝送装置の対象回線の状態表示ＬＥＤ３が点灯するか否かを確認することで、他方の伝送装置の対象回線が正しいか否かを容易に確認できる。さらに、伝送装置と伝送装置との間に配置された配線盤には、一方の伝送装置からの回線と他方の伝送装置からの回線とを接続するジャンパ線が配設されており、回線を廃止する場合には、配線盤からジャンパ線を取り除かなければならない。このような場合、配線盤には多数のジャンパ線が複雑に配設されているため、従来、対象でないジャンパ線を誤って取り除いてしまうおそれがあった。これに対して、このチャネル盤１によれば、対象となる回線に試験信号を送信して状態表示ＬＥＤ３を点灯させることで、対象回線のジャンパ線を正確かつ容易に取り除くことが可能となる。また、通信断などの通信障害が発生した場合に、状態表示ＬＥＤ３が消灯している回線を見つけるだけで、障害の回線を容易に特定することが可能となる。
【００１４】
以上、この発明の実施の形態について説明したが、具体的な構成は、この実施の形態に限られるものではなく、この発明の要旨を逸脱しない範囲の設計の変更等があっても、この発明に含まれる。例えば、上記の実施の形態では、各回線の４ＷＲ回路５に電圧リレー２を接続しているが、各回線のＳＲ回路に電圧リレー２を接続し、ＳＲ回路に伝送されるチャネル信号を検出するようにしてもよい。
【００１５】
また、検出手段として電圧リレー２を配設しているが、その他の検出手段を配設してもよい。すなわち、第１の変形例として、図４に示すように、検出手段として電流リレー８を配設し、４ＷＲ回路５にチャネル信号が伝送されて電流リレー８が作動することで、チャネル信号を検出し、状態表示ＬＥＤ３が点灯するようにしてもよい。また、第２の変形例として、図５に示すように、検出手段としてトランジスタ９を配設し、４ＷＲ回路５にチャネル信号が伝送されてベースＢとエミッタＥとの間に電圧がかかり、エミッタＥとコレクタＣとの間に電流が流れることで、状態表示ＬＥＤ３が点灯するようにしてもよい。
【図面の簡単な説明】
【００１６】
【図１】この発明の実施の形態に係るチャネル盤が伝送装置本体に実装されている状態を示す正面図である。
【図２】図１のチャネル盤の概略構成ブロック図である。
【図３】図１のチャネル盤の検出手段と表示手段とを示す概略構成図である。
【図４】図１のチャネル盤の検出手段と表示手段との第１の変形例を示す概略構成図である。
【図５】図１のチャネル盤の検出手段と表示手段との第２の変形例を示す概略構成図である。
【符号の説明】
【００１７】
１        チャネル盤（伝送装置のチャネル盤）
２        電圧リレー（検出手段）
３        状態表示ＬＥＤ（表示手段）
４        チャネルコネクタ
５        ４ＷＲ回路
６        スイッチ
７        電源
８        電流リレー（検出手段）
９        トランジスタ（検出手段）
【図１】
2009212581.tif 000003
【図２】
2009212581.tif 000004
【図３】
2009212581.tif 000005
【図４】
2009212581.tif 000006
【図５】
2009212581.tif 000007